(57)【要約】      （修正有）【課題】ハサミやカッターを使わずに係止片を商品から簡単に外すことができる係止片を提供する。【解決手段】横棒部１ａと頭部４Ｂとこれらの部材の間を連結するフイラメント部１ｃとからなり、かつ全体が合成樹脂により形成されてなる値札等の係止片において、  前記頭部を、前記フイラメント部の端部から左右に分岐してそれぞれ延長されて左右対称的なループを形成した後につながる形状、例えばスペード形、円形、楕円形、三角形、四角形などの多角形もしくはこれらの角を丸めたもの、又はこれらの組合せからなる形の輪郭を描く形状としたことを特徴とする値札等の係止片。【選択図】  図１
2006243475.tif 000002
【特許請求の範囲】
【請求項１】
横棒部と頭部とこれらの部材の間を連結するフイラメント部とからなり、かつ全体が合成樹脂により形成されてなる値札等の係止片において、
前記頭部を、前記フイラメント部の端部から左右に分岐してそれぞれ延長されて左右対称的なループを形成した後につながる形状としたことを特徴とする値札等の係止片。
【請求項２】
前記頭部を、スペード形、円形、楕円形、三角形、四角形などの多角形もしくはこれらの角を丸めたもの、又はこれらの組合せからなる形の輪郭を描く形状としたことを特徴とする請求項１に記載の値札等の係止片。
【発明の詳細な説明】
【技術分野】
【０００１】
本発明は、被服類や寝具類のような商品に値札や各種タグ類を取り付けたり、二つ以上の物品を連結するのに使用する値札等の係止片に関するものである。
【背景技術】
【０００２】
従来のこの種の値札等の係止片を図６、図７を用いて説明する。図６は係止片を示す側面図、図７は係止片の取付状態を示す図である。図において、１はＨ形タイプの係止片で、横棒部１ａと頭部１ｂとこれらの部材の間を連結するフイラメント部１ｃとからなり、かつ全体がプラスチックスなどの合成樹脂によりＨ形に形成されている。２は値札や各種タグ類、３は被服類や寝具類のような商品で、その布の一部を示している。
【０００３】
この種の係止片１は、いわゆる「ふだ打ち」と言われる取付器具により、図７に示すように商品３に取り付けられることにより商品３に値札や各種タグ類２を取り付けるのであるが、かかる係止片１の取付手段については例えば特許文献１，２にあるように周知事項であるので、ここでは簡単に説明する。
【０００４】
生産時には、かかる係止片１は連結部を介して１本の連結棒上に、その横棒部１ａ同士を平行に並べて多数（３０〜１００本あるいはそれ以上）配列されて係止片群として構成され、かつ合成樹脂により一体的に形成されている。
【０００５】
そして、この係止片群をピストル形の取付器具（ふだ打ち）の前部に装填し、その器具の前方に取り付けられている中空針に値札や各種タグ類２を挿通し、この中空針を商品３に突き刺し、次に握り部の前方に弾圧して突出しているレバーを握ることによって１本の係止片１の横棒部１ａを商品３の裏側まで突出させることによって値札や各種タグ類２を商品３に取り付けるようになっている。
【特許文献１】特開平５−３２２３８号公報
【特許文献２】特開平６−１７１６３２号公報
【発明の開示】
【発明が解決しようとする課題】
【０００６】
本発明の解決しようとする問題は、従来の係止片１の取付状態では当然のごとく図７に示すようにフイラメント部１ｃの両端側に横棒部１ａ、頭部１ｂがあるためにそのいずれの方向にも抜けないので、係止片１をフイラメント部１ｃのところでハサミで切るか、カッターで切るかして係止片１を商品３から外さなければならず、そのために商品３から値札や各種タグ類２を外すときにハサミやカッターが必要になって不便さがあると共に、ハサミやカッターで商品３を傷つける恐れがあるという点である。
【課題を解決するための手段】
【０００７】
本発明の値札等の係止片は、横棒部と頭部とこれらの部材の間を連結するフイラメント部とからなりかつその頭部を、フイラメント部の端部から左右に分岐してそれぞれ延長されて左右対称的なループを形成した後につながる形状としたことを特徴とする。本発明の値札等の係止片の好ましい態様では、前記頭部を、スペード形、円形、楕円形、三角形、四角形などの多角形もしくはこれらの角を丸めたもの、又はこれらの組合せからなる形の輪郭を描く形状とする。
【発明の効果】
【０００８】
本発明は、係止片を商品から外すときにその頭部を対称的に二つ折りにすれば頭部がフイラメント部につながる一本のフイラメント状になるので、この一本のフイラメント状のまま引っ張ると値札や各種タグ類及び商品から容易にスルリと引き抜くことができ、ハサミやカッターを使わずに係止片を商品から簡単に外すことができるという効果がある。
【発明を実施するための最良の形態】
【０００９】
係止片の頭部を、フイラメント部の端部から左右に分岐してそれぞれ延長されて左右対称的なループを形成した後につながる形状、例えばスペード形、円形、楕円形、三角形、四角形などの多角形もしくはこれらの角を丸めたもの、又はこれらの組合せからなる形の輪郭を描く形状とすることにより、実現した。
【実施例】
【００１０】
本発明の一実施例として、頭部がスペード形の輪郭を描く形状のものを図１〜図４を用いて説明する。図１は係止片を示す側面図、図２は係止片の取付状態を示す図、図３は係止片を外す際の始めの状態を示す図、図４は係止片を外す際の終りの状態を示す図で、図中前記した従来のものと同一または相当部分には同一符号を付して説明を省略する。
【００１１】
図において、４は頭部がスペード形タイプの係止片で、フイラメント部１ｃの端部４０１から左右に分岐してそれぞれ延長されて左右対称的なループを形成した後に頂点４０２でつながる全体としてスペード形の輪郭を描く形状となる頭部４Ｂを備えている。
この頭部４Ｂの全体としての形状は、図１〜図４に示すスペード形のものの他、図５ａに示す円形、図５ｂに示す楕円形、図５ｃに示す三角形、図５ｄに示す四角形、図５ｅに示す四角形の角を丸めたもの、図５ｆに示す、円形と四角形の組合せ等であっても良く、左右対称的なループにより形成される形状であれば良い。
但し、値札等が商品にしっかりと係止され商品から容易に取れないようにするために、頭部４Ｂはフィラメント部１ｃの垂直方向に広がりを持つことが必要である。
なお、頭部を形成するループの太さ（断面積）は、横棒部の太さと同一であってもよく、これより太くてもよいが、あまり太くなると頭部を二つ折りにして引き抜くときに商品３を貫通しにくくなったり、商品３を傷つけたりするおそれがあるので好ましくない。
【００１２】
この係止片４も、その横棒部１ａ同士を平行に並べて多数（３０〜１００本あるいはそれ以上）配列されて係止片群として成形（生産）されると共に、ふだ打ち器具により打ち込まれて図２に示すように商品３に値札や各種タグ類２を取り付けることについては、従来の係止片１と同じである。
【００１３】
図２の取付状態において、係止片４を外すときには、スペード形の頭部４Ｂを二つ折りにする（フイラメント部１ｃの延長線上に沿った端部４０１、頂点４０２の部分を折り目とする）。こうして頭部４Ｂを二つ折りすると、頭部４Ｂの部分が図３に示すように一本のフイラメント状になるので、この一本のフイラメント状のまま係止片４を図４の状態に向けて矢印の方向に引き抜くことにより、容易に係止片４を値札や各種タグ類２、商品３から外すことができる。
なお、頭部４Ｂの端部４０１及び頂点４０２の折り目となる部分に切り込み（図示せず）を入れておくと、頭部４Ｂをより容易に二つ折りすることができる。この切り込みの深さ及び長さは、二つ折りにされた頭部４Ｂがその折られた状態で留まるような深さ及び長さであればよい。
【００１４】
よって、ハサミやカッターを使わなくても、係止片４の頭部４Ｂを二つ折りするだけで、係止片４を値札や各種タグ類２、商品３から簡単に外すことができるので、ハサミやカッターで商品３を傷つけるということがない。
【００１５】
上記実施例のように頭部４Ｂをスペード形の輪郭を描く形状にしておくと、スペード形の付け根の部分、つまり端部４０１の部分で釣り針の返しのように構成されるので、取付状態で値札や各種タグ類２、商品３の係止片４からの抜け、特に値札や各種タグ類２が係止片４の頭部４Ｂから抜け落ちるということがない。
【産業上の利用可能性】
【００１６】
本発明は、被服類や寝具類のような商品に値札や各種タグ類を取り付けたり、二つ以上の物品を連結するのに広く活用できる。
【図面の簡単な説明】
【００１７】
【図１】本発明の一実施例を示す係止片の側面図である。
【図２】図１の係止片の取付状態を示す図である。
【図３】図２の係止片を外す際の始めの状態を示す図である。
【図４】図２の係止片を外す際の終りの状態を示す図である。
【図５ａ】頭部の他の形状を示す係止片の側面図である。
【図５ｂ】頭部の他の形状を示す係止片の側面図である。
【図５ｃ】頭部の他の形状を示す係止片の側面図である。
【図５ｄ】頭部の他の形状を示す係止片の側面図である。
【図５ｅ】頭部の他の形状を示す係止片の側面図である。
【図５ｆ】頭部の他の形状を示す係止片の側面図である。
【図６】従来の係止片を示す側面図である。
【図７】図６の係止片の取付状態を示す図である。
【符号の説明】
【００１８】
１ａ：横棒部
１ｃ：フイラメント部
２：値札や各種タグ類
３：商品
４：係止片
４Ｂ：頭部
４０１：端部
４０２：頂点
【図１】
2006243475.tif 000003
【図２】
2006243475.tif 000004
【図３】
2006243475.tif 000005
【図４】
2006243475.tif 000006
【図５ａ】
2006243475.tif 000007
【図５ｂ】
2006243475.tif 000008
【図５ｃ】
2006243475.tif 000009
【図５ｄ】
2006243475.tif 000010
【図５ｅ】
2006243475.tif 000011
【図５ｆ】
2006243475.tif 000012
【図６】
2006243475.tif 000013
【図７】
2006243475.tif 000014